(57)【特許請求の範囲】
【請求項１】
屋内外を隔てる板状部材の開口部に設置される換気扇であって、
中央が開口した額状であり、前記板状部材の開口部に固定される固定枠と、
前記固定枠の屋内面側に固定される換気流生成装置と、
前記固定枠の屋外面側の全面に配置されるパッキンと、
前記パッキンを介して前記固定枠の屋外面側に配置される屋外フードと、
前記換気流生成装置、前記パッキンおよび前記屋外フードが固定された固定枠の上部を前記板状部材の開口上縁部に設置するための第１の板取付金具と、
前記固定枠の下部を前記板状部材の開口下縁部に設置するための第２の板取付金具と、
を備え、
前記第１の板取付金具は前記パッキンを介して前記固定枠の屋外面側に固定され、前記第１の板取付金具は前記板状部材の開口上縁部を挿入可能な隙間が前記パッキンとの間に形成されるように屋外側に出っ張るクランク状となっており、
前記第２の板取付金具は前記パッキンを介して前記固定枠の屋外面側に固定され、前記第２の板取付金具は前記板状部材の開口下縁部を挿入可能な隙間が前記パッキンとの間に形成されるように屋外側に出っ張るクランク状となっており、
屋内側から設置可能であることを特徴とする換気扇。
【請求項２】
前記パッキンは、前記固定枠の上部に配置される上パッキンと、前記固定枠の下部に配置される下パッキンと、前記固定枠の左部に配置される左パッキンと、前記固定枠の右部に配置される右パッキンとを有し、
前記左パッキンおよび右パッキンは、前記上パッキンと下パッキンに挟み込まれるように配置され、
前記左パッキンと上パッキンとの合わせ目、前記左パッキンと下パッキンとの合わせ目、前記右パッキンと上パッキンとの合わせ目および前記右パッキンと下パッキンとの合わせ目は、一方が上下方向の凸部または凹部を有し、他方が上下方向の凹部または凸部を有する凹凸形状であることを特徴とする請求項１に記載の換気扇。
【請求項３】
前記上パッキンと前記下パッキンとが同一形状であることを特徴とする請求項２に記載の換気扇。
【請求項４】
前記上パッキンの合わせ目は下方に突出した凸部を有し、前記下パッキンの合わせ目は上方に突出した凸部を有し、前記左パッキンおよび右パッキンにおける上パッキンとの合わせ目は下側に凹んだ凹部を有し、前記左パッキンおよび右パッキンにおける下パッキンとの合わせ目は上側に凹んだ凹部を有することを特徴とする請求項３に記載の換気扇。
【発明の詳細な説明】
【技術分野】
【０００１】
本発明は、屋内外を隔てる板状部材の開口部分に設置される換気扇に関する。
【背景技術】
【０００２】
建造物に換気扇を後付けするにあたって、換気扇の取り付け用の穴を新たに壁に開けることが困難である場合には、板状部材の開口部分に取り付け可能な換気扇が用いられる（特許文献１参照）。例えば、開口を備えたアルミパネル等を窓ガラスの代わりにサッシへ設置するなどした上で、アルミパネルの開口部に取り付けられる。
【０００３】
板状部材の開口部分に取り付ける換気扇の中には、換気流を生成する換気扇本体と雨水の浸入を防止するための屋外フードとを額状の固定枠に固定して一体化し、一体化したものを屋内側から設置できるようにしたものがある。
【０００４】
このような換気扇は、室内への雨水の浸入を防止するために、固定枠の屋外側には開口の上下左右にパッキンが設けられている。
【先行技術文献】
【特許文献】
【０００５】
【特許文献１】特開２００８−６９９９５号公報
【発明の概要】
【発明が解決しようとする課題】
【０００６】
しかしながら、換気扇本体と屋外フードとを固定枠に固定して板状部材の開口部分に設置する従来の換気扇は、パッキンの合わせ目が直線状であって、この部分から雨水が浸入しやすいことに加えて、設置箇所では屋内外が薄い板状部材で隔てられているため、パッキンの合わせ目から浸入した雨水が室内にまで入り込みやすいという問題があった。
【０００７】
本発明は、上記に鑑みてなされたものであって、パッキンの合わせ目からの室内への雨水の浸入を防止した換気扇を得ることを目的とする。
【課題を解決するための手段】
【０００８】
上述した課題を解決し、目的を達成するために、本発明は、屋内外を隔てる板状部材の開口部に設置される換気扇であって、板状部材の開口よりも小さい開口を備えかつ外形は該板状部材の開口よりも大きい略額状であり、一方の面側からは板状部材の開口を通過する換気流を生成する換気流生成装置が、他方の面側からは屋外フードがそれぞれ固定される固定枠と、固定枠の前記他方の面側に、該固定枠の開口を囲うように配置された複数のパッキンとを備え、パッキン同士の境界が凹凸の合わせ形状であることを特徴とする。
【発明の効果】
【０００９】
本発明によれば、屋内外を隔てる薄い板状の部材の開口部に取り付けた場合でも、パッキンの合わせ目からの室内への雨水の浸入を防止できるという効果を奏する。
【図面の簡単な説明】
【００１０】
【図１】図１は、本発明の実施の形態に係る換気扇の設置図である。
【図２】図２は、本発明の実施の形態に係る換気扇の斜視図である。
【図３】図３は、本発明の実施の形態に係る換気扇の側面図である。
【図４】図４は、本発明の実施の形態に係る換気扇の上部側面の拡大図である。
【図５】図５は、本発明の実施の形態に係る換気扇の固定枠の構成例を示す図である。
【図６】図６は、本発明の実施の形態に係る換気扇の固定枠の別の構成例を示す図である。
【図７】図７は、従来の換気扇の固定枠の構成を示す図である。
【発明を実施するための形態】
【００１１】
以下に、本発明にかかる換気扇の実施の形態を図面に基づいて詳細に説明する。なお、この実施の形態によりこの発明が限定されるものではない。
【００１２】
実施の形態．
本発明の実施の形態に係る換気扇５０は、例えば、図１に示すように、窓サッシ３０に設置されたアルミパネル２０の開口部に装着される。
【００１３】
図２は、本実施の形態に係る換気扇５０の構成を示す斜視図である。図３は、換気扇５０の側面図である。図４は、換気扇５０の上部側面の拡大図である。本実施の形態に係る換気扇５０は、換気扇本体７、屋外フード８、固定枠１０、固定金具９、及び板取付金具１１、１２を有する。
【００１４】
換気扇本体７は、不図示のファンやモータなどを備えており、アルミパネル２０の開口部を通過する換気流を生成する。換気扇本体７は、固定枠１０と当接するフランジ７ａを備えている。
【００１５】
屋外フード８は、アルミパネル２０の開口部に設置されて換気扇本体７を屋外側から覆う部材であり、固定枠１０と当接する端部にフランジ８ａを備えている。
【００１６】
固定枠１０は、換気扇本体７と屋外フード８とを一体のユニットとするための部材であり、中央が開口した額状である。図５に示すように、固定枠１０は、中央の開口を囲うように屋外側に設置されたパッキン１０ａ〜１０ｄを備えており、屋外フード８との隙間から雨水が浸入することが防止されている。パッキン１０ａ〜１０ｄは、アルミパネル２０の開口よりも一回り大きい外形形状となるように固定枠１０の開口の上下左右に設置されている。略平行に配置されたパッキン１０ａと１０ｂとの間にパッキン１０ｃ、１０ｄが挟み込まれており、上下のパッキン１０ａ、１０ｂと左右のパッキン１０ｃ、１０ｄとの合わせ目は矩形の印籠形状（凹凸の合わせ形状）となっている。また、上下のパッキン１０ａ、１０ｂ及び左右のパッキン１０ｃ、１０ｄはそれぞれ同一形状であり、上側のパッキン１０ａは上下反転させる又は裏返すことで、下側のパッキン１０ｂとして用いることが可能である。これにより、部品種類の増加を抑えられている。なお、ここでは上側のパッキン１０ａと下側のパッキン１０ｂとが同一形状である構成を例としたが、これらが別形状であっても良い。なお、ここではパッキン１０ａ〜１０ｄの合わせ目が矩形の印籠形状となっている構成を例としたが、図６に示すように三角形の印籠形状であっても良い。また、半円や半楕円の印籠形状であっても良い。
【００１７】
固定金具９は、換気扇本体７と屋外フード８とを固定枠１０に一体に固定するための雌ネジを備えた部材であり、固定枠１０の開口部の上方及び下方において、フランジ８ａの屋外側に配置され、フランジ７ａ、８ａ及び固定枠１０とともにネジ止めされることによって換気扇本体７と屋外フード８とを固定枠１０に一体化する。
【００１８】
板取付金具１１、１２は、固定金具９によって固定枠１０に一体に固定された換気扇本体７及び屋外フード８をアルミパネル２０の開口に設置するための金具である。板取付金具１１、１２は、板取付金具１１は固定枠１０の上枠の屋外側に、板取付金具１２は固定枠１０の下枠の屋外側にそれぞれ設置される。板取付金具１１、１２は、板取付金具１１の上端側とパッキン１０ａとの間、及び板取付金具１２の下端側とパッキン１０ｂとの間に、アルミパネル２０の開口縁部を挿入可能な幅の隙間が形成されるように、断面視略クランク状となっており、板取付金具１１は上端側が、板取付金具１２は下端側が屋外側に出っ張るように設置されている。なお、固定枠１０との隙間が広がった部分の高さ方向の寸法は、板取付金具１２の方が小さくなっている。
【００１９】
換気扇５０をアルミパネル２０の開口部に取り付ける際には、換気扇本体７、屋外フード８、固定枠１０、固定金具９、及び板取付金具１１、１２を組み立てた後、屋外フード８側が下がるように換気扇５０を全体的に傾けた状態で板取付金具１１とパッキン１０ａとの隙間にアルミパネル２０の開口縁部を差し入れる。そして、板取付金具１１の段差部をアルミパネル２０に開口縁部に当接させたまま屋外フード８側を持ち上げて換気扇５０を略水平状態とする。その後、換気扇５０を持ち上げる力を解除することにより、板取付金具１２とパッキン１０ｂとの隙間にアルミパネル２０の開口縁部が板取付金具１２と当接するまで挿入され、換気扇５０がアルミパネル２０の開口部分に設置される。換気扇５０を取り外す際には、換気扇５０を持ち上げて板取付金具１２とパッキン１０ｂとの隙間からアルミパネル２０の開口縁部を抜き取った後に、屋外フード８側が下がるように換気扇５０を全体的に傾けて、板取付金具１１とパッキン１０ａとの隙間からアルミパネル２０の開口縁部を抜き取ればよい。このように、本実施の形態に係る換気扇５０は、屋内側からの作業で取り付け・取り外しが可能であるため、作業用の足場を屋外に設置することが困難な箇所（例えば、高層階の窓）にも容易に取付可能である。
【００２０】
比較のために、図７に従来の換気扇の固定枠１５を示す。従来の換気扇の固定枠１５に設置されるパッキン１５ａ〜１５ｄは、合わせ目が直線状となっているため、この隙間を介して固定枠１５の外側から内側へ雨水が浸入しやすい。
【００２１】
本実施の形態に係る換気扇は、パッキンの合わせ目が印籠形状となっているため、固定枠の内側へ雨水が浸入することを防止することができる。
【００２２】
なお、上記の実施の形態においては、各パッキンの合わせ目に各々一つの印籠形状が形成される構成を例としたが、パッキンの合わせ目部分に２以上の印籠形状が形成される構成とすることで、雨水の浸入防止性能をさらに高めることもできる。このように、本発明は様々な変形が可能である。
【産業上の利用可能性】
【００２３】
以上のように、本発明にかかる換気扇は、パッキンの合わせ目からの雨水の浸入を防止点で有用であり、特に、窓のサッシに設置したアルミパネルなどの板状部材の開口部に取り付けるのに適している。
【符号の説明】
【００２４】
７  換気扇本体
７ａ、８ａ  フランジ
８  屋外フード
９  固定金具
１０  固定枠
１０ａ、１０ｂ、１０ｃ、１０ｄ  パッキン
１１、１２  板取付金具
２０  アルミパネル
３０  窓サッシ
５０  換気扇
【図１】
0005495842.tif 000002
【図２】
0005495842.tif 000003
【図３】
0005495842.tif 000004
【図４】
0005495842.tif 000005
【図５】
0005495842.tif 000006
【図６】
0005495842.tif 000007
【図７】
0005495842.tif 000008